(57)【要約】【課題】販売者と購入者との１対１の売買交渉に限定することなく、複数の販売者又は購入者との間で売買交渉を行うことができる商品売買システムを提供する。【解決手段】商品売買が行われる場合、売買者端末からサーバマシン１に売買交渉要求が与えら、これに応答して、サーバマシン１は、テーブル１５から、販売者側からの売買交渉要求であれば、その販売条件に合致する全ての有効な購入者側の売買交渉レコードを取出し、購入者側からの売買交渉要求であれば、その購入条件に合致する全ての有効な販売者側の売買交渉レコードを取出し、売買交渉要求と各売買交渉レコードとに基づいて売買交渉処理を行う。売買交渉レコードは、売買交渉要求を受ける毎に１要求１レコードとして作成格納される。そのため、販売者又は購入者は条件に合致する全ての購入者または販売者との間で販売又は購入交渉を行うことができる。【選択図】図２
2006146399.tif 000002
【特許請求の範囲】
【請求項１】
通信網を介してサーバマシンに接続される販売者又は購入者である複数の売買者端末を有し、この売買者端末からの商品売買の要求に応じて前記サーバマシンが商品の売買処理を行う商品売買システムにおいて、
前記売買者端末が、商品売買の条件及び要求を表わす売買交渉要求を前記サーバマシンに送信し、
前記サーバマシンが、前記売買者端末からの売買交渉要求毎に１要求１レコードとして売買交渉状況を表わす売買交渉レコードを作成して、これを所定のテーブルに格納すると共に、前記売買者端末からの売買交渉要求に応答して、この売買交渉要求が販売者側からのものであればその売買交渉要求に合致する全ての有効な購入者側の売買交渉レコードを前記テーブルから取出し、その売買交渉要求が購入者側からのものであれば当該売買交渉要求に合致する全ての有効な販売者側の売買交渉レコードを前記テーブルから取出し、前記売買者端末からの前記売買交渉要求と取出された各売買交渉レコードとに基づいて売買交渉処理を行うようにした商品売買システム。
【請求項２】
前記サーバマシンが、前記売買者端末からの前記売買交渉要求に合致する全ての売買交渉レコードを、所定の優先順位に従って前記テーブルから順に取出す手段を含む請求項１に記載の商品売買システム。
【請求項３】
前記売買者端末からの前記売買交渉要求が交渉区分を含み、この交渉区分が、販売者側においては、販売者が指定した価格以上で１又は複数の購入者と交渉するモードである価格指定複購入者販売交渉であり、購入者側においては、購入者が指定した価格以下で１又は複数の販売者と交渉するモードである価格指定複販売者購入交渉であり、
前記サーバマシンが、前記価格指定複購入者販売交渉又は前記価格指定複販売者購入交渉に基づいて、前記価格指定複購入者販売交渉の場合には前記指定価格以上の購入者側の売買交渉レコードを前記テーブルから取出し、前記価格指定複販売者購入交渉の場合には前記指定価格以下の販売者側の売買交渉レコードを前記テーブルから取出す手段を含む請求項１に記載の商品売買システム。
【請求項４】
前記売買者端末からの前記売買交渉要求が交渉区分を含み、この交渉区分が、販売者側においては、販売者が指定した価格以上で且つ販売者が指定した個数をまとめて購入する単一の購入者と交渉するモードである価格指定単購入者販売交渉であり、購入者側においては、購入者が指定した価格以下で且つ購入者が指定した個数をまとめて販売する単一の販売者と交渉するモードである価格指定単販売者購入交渉であり、
前記サーバマシンが、前記価格指定単購入者販売交渉又は前記価格指定単販売者購入交渉に基づいて、前記価格指定単購入者販売交渉の場合には前記指定価格以上で且つ前記指定個数以上の購入者側の売買交渉レコードを前記テーブルから取出し、前記価格指定単販売者購入交渉の場合には前記指定価格以下で且つ前記指定個数以上の販売者側の売買交渉レコードを前記テーブルから取出す手段を含む請求項１に記載の商品売買システム。
【請求項５】
前記売買者端末からの前記売買交渉要求が交渉区分を含み、この交渉区分が、販売者側においては、販売者が価格を指定することなく１又は複数の購入者と交渉するモードである価格未指定複購入者販売交渉であり、購入者側においては、購入者が価格を指定することなく１又は複数の販売者と交渉するモードである価格未指定複販売者購入交渉であり、
前記サーバマシンが、前記価格未指定複購入者販売交渉又は前記価格未指定複販売者購入交渉に基づいて、前記価格未指定複購入者販売交渉の場合には交渉区分が前記価格未指定複販売者購入交渉である購入者側の売買交渉レコードの取出しを行わず、前記価格未指定複販売者購入交渉の場合には前記価格未指定複購入者販売交渉である販売者側の売買交渉レコードの取出しを行わない手段を含む請求項１に記載の商品売買システム。
【請求項６】
前記サーバマシンが、
高い優先順位を有する前記売買交渉レコードから順に、前記売買者端末からの前記売買交渉要求との比較に基づいて前記売買交渉処理を行う手段と、
前記売買交渉要求に含まれる商品の個数がなくなるか又は前記テーブルから取出された全ての前記売買交渉レコードがなくなることで前記売買交渉処理を終了する手段とを含む請求項２に記載の商品売買システム。
【請求項７】
前記サーバマシンが、
売買交渉が成立する毎に、現在処理中の売買交渉レコードの売買交渉状況を更新して前記テーブルに更新登録する手段と、
前記売買交渉処理を終了した場合に、前記売買交渉要求に対する売買交渉レコードを作成して前記テーブルに登録する手段とを含む請求項６に記載の商品売買システム。
【請求項８】
前記サーバマシンが、前記テーブルに格納されている前記売買交渉レコードに基づいて、１つの商品毎に、全ての販売者及び全ての購入者の有効な売買交渉要求の状況を一覧表示で売買者端末に提供する手段を含む請求項１乃至７の何れかに記載の商品売買システム。
【発明の詳細な説明】
【技術分野】
【０００１】
本発明は、商品売買システムに関し、特に、インターネット等の通信網を介してサーバマシンに接続される売買者端末からの商品売買の要求に応じてサーバマシンが商品の売買処理を行う商品売買システムに関する。
【背景技術】
【０００２】
インターネット等の通信網を使用して商品の売買を行う売買システムとして、例えば、購入者が販売者のホームページにアクセスし、そこに提示されている商品価格に従ってその商品を注文購入する方法がとられている。この場合、購入者は当該商品の価格交渉をシステム上で行うことはできず、そのため、価格交渉を行いたい場合には、電子メール等の別の手段を介して販売者とコンタクトして交渉する等の方法がとられることとなる。
【０００３】
このような商品売買の不便さを解消しようとする観点からシステム上での売買価格の交渉を可能にしようとする技術として、例えば特許文献１に記載の売買交渉システムが提案されている。
【特許文献１】特開２００２−７７５５号公報
【０００４】
特許文献１には、商品を売る側と買う側とが１対１でネットワークを介して価格の交渉を行うことのできる売買交渉システムが開示されている。
【発明の開示】
【発明が解決しようとする課題】
【０００５】
特開２００２−７７５５号公報では、販売者と購入者とが１対１で価格交渉を行うことができるだけである。そのため、例えば、購入者が現在の販売者以外の販売者が提供する同一商品の価格を知るためには現在の販売者との接続を中断して別途その販売者を調べなければならず、より安価な商品の購入において煩わしさがあるばかりでなく、他の販売者の商品価格を知らない状態で現在の販売者と価格交渉が行われがちになるので、他の販売者が提示する価格よりも高い価格で購入してしまうおそれがある。また、購入者が所定個数の同一商品をまとめて購入したい場合に、現在の販売者の全個数を購入しても不足個数が生じれば、当該商品を販売する他の販売者を調べて別途に交渉しなければならならない。更に、販売者側にとっても、複数の販売者が同一商品を販売している場合に、購入者が有名な販売者に集中し、有名でない販売者に対する購入者のコンタクトが低減するなどの問題がある。このような問題点は、販売者と購入者との価格交渉が１対１で行われることによるものである。
【０００６】
そこで、本発明は、販売者と購入者との１対１の売買交渉に限定することなく、複数の販売者又は購入者との間で売買交渉を行うことができる商品売買システムを提供することを目的とする。
【課題を解決するための手段】
【０００７】
本発明においては、通信網を介してサーバマシンに接続される販売者又は購入者である複数の売買者端末を有し、この売買者端末からの商品売買の要求に応じて前記サーバマシンが商品の売買処理を行う商品売買システムにおいて、前記売買者端末が、商品売買の条件及び要求を表わす売買交渉要求を前記サーバマシンに送信し、前記サーバマシンが、前記売買者端末からの売買交渉要求毎に１要求１レコードとして売買交渉状況を表わす売買交渉レコードを作成して、これを所定のテーブルに格納すると共に、前記売買者端末からの売買交渉要求に応答して、この売買交渉要求が販売者側からのものであればその売買交渉要求に合致する全ての有効な購入者側の売買交渉レコードを前記テーブルから取出し、その売買交渉要求が購入者側からのものであれば当該売買交渉要求に合致する全ての有効な販売者側の売買交渉レコードを前記テーブルから取出し、前記売買者端末からの前記売買交渉要求と取出された各売買交渉レコードとに基づいて売買交渉処理を行うようにした商品売買システムによって、上記目的を達成する。
【０００８】
このような構成によれば、販売者又は購入者である売買者端末からサーバマシンに売買交渉要求が与えられる毎に、サーバマシンにおいて、１要求１レコードとして売買交渉レコードが作成されて所定のテーブルに格納される。売買交渉要求は商品売買の条件及び要求を表わし、例えば、販売者側からのものであれば販売する商品の個数及び価格等の情報を含み、購入者側からのものであれば購入する商品の個数及び価格等の情報を含むように構成される。売買交渉レコードは売買交渉状況を表わし、例えば、販売者側に対するものであれば販売する商品の個数、価格、現在販売下に置かれているのか否かを表わす有効／無効等の情報を含み、購入者に対するものであれば購入する商品の個数、価格、現在購入する状態であるのか否かを表わす有効／無効等の情報を含むように構成される。売買者端末から売買交渉要求が与えられると、サーバマシンにおいて、この売買交渉要求に合致する全ての有効な売買交渉レコードが前記テーブルから取出される。即ち、販売者側からの売買交渉要求であれば、その販売条件に合致する全ての有効な購入者側の売買交渉レコードが取出され、購入者側からの売買交渉要求であれば、その購入条件に合致する全ての有効な販売者側の売買交渉レコードが取出される。そして、サーバマシンにおいて、売買者端末からの売買交渉要求と取出された各売買交渉レコードとに基づいて売買交渉処理が行われる。このように、売買者端末からの売買交渉要求に合致する全ての有効な売買交渉レコードが取出されるので、販売者側であれば販売条件に合致する全ての購入者との間で販売交渉が行われ、購入者側であれば購入条件に合致する全ての販売者との間で購入交渉が行われることとなる。そのため、従来技術のような問題点を解消することができる。また、売買者端末からの売買交渉要求と取出された各売買交渉レコードとに基づいて売買交渉処理がサーバマシンによって自動的に且つリアルタイムで行われることとなるので、売買者は基本的には売買交渉要求をサーバマシンに送信するだけで足り、販売者と購入者との間でシステム上での遣り取りを行う必要がなく、商品売買の容易性を向上させることができる。
【０００９】
また、本発明において、前記サーバマシンが、前記売買者端末からの前記売買交渉要求に合致する全ての売買交渉レコードを、所定の優先順位に従って前記テーブルから順に取出す手段を含むように、構成することができる。これによれば、優先順位の高い売買交渉レコードから売買交渉処理を行うように構成することが可能となり、売買者にとって有利な条件での商品売買が可能となる。
【００１０】
また、本発明において、前記売買者端末からの前記売買交渉要求が交渉区分を含み、この交渉区分が、販売者側においては、販売者が指定した価格以上で１又は複数の購入者と交渉するモードである価格指定複購入者販売交渉であり、購入者側においては、購入者が指定した価格以下で１又は複数の販売者と交渉するモードである価格指定複販売者購入交渉であり、前記サーバマシンが、前記価格指定複購入者販売交渉又は前記価格指定複販売者購入交渉に基づいて、前記価格指定複購入者販売交渉の場合には前記指定価格以上の購入者側の売買交渉レコードを前記テーブルから取出し、前記価格指定複販売者購入交渉の場合には前記指定価格以下の販売者側の売買交渉レコードを前記テーブルから取出す手段を含むように、構成することができる。これによれば、販売者側においては、指定価格以上で最も高い価格を受け入れる購入者から順に販売できるように構成することが可能となり、購入者側においては、指定価格以下で最も安い価格を受け入れる販売者から順に購入できるように構成することが可能となる。
【００１１】
また、本発明において、前記売買者端末からの前記売買交渉要求が交渉区分を含み、この交渉区分が、販売者側においては、販売者が指定した価格以上で且つ販売者が指定した個数をまとめて購入する単一の購入者と交渉するモードである価格指定単購入者販売交渉であり、購入者側においては、購入者が指定した価格以下で且つ購入者が指定した個数をまとめて販売する単一の販売者と交渉するモードである価格指定単販売者購入交渉であり、前記サーバマシンが、前記価格指定単購入者販売交渉又は前記価格指定単販売者購入交渉に基づいて、前記価格指定単購入者販売交渉の場合には前記指定価格以上で且つ前記指定個数以上の購入者側の売買交渉レコードを前記テーブルから取出し、前記価格指定単販売者購入交渉の場合には前記指定価格以下で且つ前記指定個数以上の販売者側の売買交渉レコードを前記テーブルから取出す手段を含むように、構成することができる。これによれば、販売者側においては、より高い価格を受け入れる一括購入者に販売できるように構成することが可能となり、購入者側においては、より安い価格を受け入れる一括販売者から購入できるように構成することが可能となる。また、これによれば、単一の販売者又は購入者から商品をまとめて販売又は購入することができるので、販売後又は購入後のメインテナンスやアフターフォローなどの面でメリットを得ることができ、更には商品の送料の節約なども図ることができる。
【００１２】
また、本発明において、前記売買者端末からの前記売買交渉要求が交渉区分を含み、この交渉区分が、販売者側においては、販売者が価格を指定することなく１又は複数の購入者と交渉するモードである価格未指定複購入者販売交渉であり、購入者側においては、購入者が価格を指定することなく１又は複数の販売者と交渉するモードである価格未指定複販売者購入交渉であり、前記サーバマシンが、前記価格未指定複購入者販売交渉又は前記価格未指定複販売者購入交渉に基づいて、前記価格未指定複購入者販売交渉の場合には交渉区分が前記価格未指定複販売者購入交渉である購入者側の売買交渉レコードの取出しを行わず、前記価格未指定複販売者購入交渉の場合には前記価格未指定複購入者販売交渉である販売者側の売買交渉レコードの取出しを行わない手段を含むように、構成することができる。
【００１３】
また、本発明において、前記サーバマシンが、高い優先順位を有する前記売買交渉レコードから順に、前記売買者端末からの前記売買交渉要求との比較に基づいて前記売買交渉処理を行う手段と、前記売買交渉要求に含まれる商品の個数がなくなるか又は前記テーブルから取出された全ての前記売買交渉レコードがなくなることで前記売買交渉処理を終了する手段とを含むように構成することができる。
【００１４】
また、本発明において、前記サーバマシンが、売買交渉が成立する毎に、現在処理中の売買交渉レコードの売買交渉状況を更新して前記テーブルに更新登録する手段と、前記売買交渉処理を終了した場合に、前記売買交渉要求に対する売買交渉レコードを作成して前記テーブルに登録する手段とを含むように構成することができる。
【００１５】
更に、本発明において、前記サーバマシンが、前記テーブルに格納されている前記売買交渉レコードに基づいて、１つの商品毎に、全ての販売者及び全ての購入者の有効な売買交渉要求の状況を一覧表示で売買者端末に提供する手段を含むように構成することができる。これによれば、現在の全ての販売者及び全ての購入者の有効な売買交渉要求の状況を一覧表示で売買者が認識することができるので、該当する商品の現在の交渉状況を容易に認識することができる。
【発明の効果】
【００１６】
本発明によれば、販売者又は購入者である売買者端末からの売買交渉要求でそれに合致する全ての有効な売買交渉レコードが取出され、販売者側であれば販売条件に合致する全ての購入者との間で販売交渉が行われ、購入者側であれば購入条件に合致する全ての販売者との間で購入交渉が行われるので、販売者と購入者との１対１の売買交渉に限定されることなく、複数の販売者又は購入者との間で売買交渉を行うことができ、従来技術のような問題点を解消することができる。また、売買交渉処理がサーバマシンによって自動的に且つリアルタイムで行われるので、売買者は基本的には売買交渉要求をサーバマシンに送信するだけで足り、販売者と購入者とが自らシステム上で遣り取りを行う必要がなく、商品売買の容易性を向上させることができる。
【００１７】
また、本発明によれば、優先順位の高い売買交渉レコードから売買交渉処理を行うように構成することが可能となるので、売買者にとって有利な条件での商品売買が可能となる。
【００１８】
また、本発明によれば、販売者側においては、指定価格以上で最も高い価格を受け入れる購入者から順に販売できるように構成することができ、購入者側においては、指定価格以下で最も安い価格を受け入れる販売者から順に購入できるように構成することができる。
【００１９】
また、本発明によれば、販売者側においては、より高い価格を受け入れる一括購入者に販売できるように構成することができ、購入者側においては、より安い価格を受け入れる一括販売者から購入できるように構成することができる。また、本発明によれば、単一の販売者又は購入者から商品をまとめて販売又は購入することができるので、販売後又は購入後のメインテナンスやアフターフォローなどの面でメリットを得ることができ、更には商品の送料の節約なども図ることができる。
【００２０】
更に、本発明によれば、現在の全ての販売者及び全ての購入者の売買交渉要求の状況を一覧表示で売買者が認識することができるので、該当する商品の現在の交渉状況、例えば価格、個数等を容易に認識することができる。
【発明を実施するための最良の形態】
【００２１】
商品売買システムは、通信網を介してサーバマシンに接続される販売者又は購入者である複数の売買者端末を有しており、この売買者端末からの商品売買の要求に応じて、サーバマシンが商品の売買処理を行う。売買者端末からは、商品売買の条件及び要求を表わす売買交渉要求がサーバマシンに送信される。サーバマシンは、売買者端末からの売買交渉要求毎に１要求１レコードとして売買交渉状況を表わす売買交渉レコードを作成して、これを所定のテーブルに格納するようになっている。これと共に、サーバマシンは、売買者端末からの売買交渉要求に応答して、この売買交渉要求が販売者側からのものであればその売買交渉要求に合致する全ての有効な購入者側の売買交渉レコードをテーブルから取出し、その売買交渉要求が購入者側からのものであれば当該売買交渉要求に合致する全ての有効な販売者側の売買交渉レコードをテーブルから取出す。そして、サーバマシンは、売買者端末から与えられた売買交渉要求とテーブルから取出された各売買交渉レコードとに基づいて、売買交渉処理を行う。
【００２２】
上記構成において、販売者又は購入者である売買者端末からサーバマシンに売買交渉要求が与えられると、売買交渉要求が与えられる毎に、サーバマシンにおいて、１要求１レコードとして売買交渉レコードが作成されて所定のテーブルに格納される。売買交渉要求は商品売買の条件及び要求を表わし、例えば、販売者側からのものであれば販売する商品の個数及び価格等の情報を含み、購入者側からのものであれば購入する商品の個数及び価格等の情報を含むように構成されている。売買交渉レコードは売買交渉状況を表わし、例えば、販売者側に対するものであれば販売する商品の個数、価格、販売交渉中か否か等を表わす有効／無効等の情報を含み、購入者に対するものであれば購入する商品の個数、価格、購入する購入交渉中か否か等を表わす有効／無効等の情報を含むように構成される。
【００２３】
売買者端末から売買交渉要求が与えられると、サーバマシンは、更に、この売買交渉要求に合致する全ての有効な売買交渉レコードを前記テーブルから取出す。即ち、販売者側からの売買交渉要求であれば、その販売条件に合致する全ての有効な購入者側の売買交渉レコードが取出され、購入者側からの売買交渉要求であれば、その購入条件に合致する全ての有効な販売者側の売買交渉レコードが取出される。そして、サーバマシンは、現在与えられた売買者端末からの売買交渉要求とテーブルから取出された各売買交渉レコードとに基づいて、売買交渉処理を行う。売買者端末からの売買交渉要求に合致する全ての有効な売買交渉レコードが取出されるので、販売者側であれば販売条件に合致する全ての購入者との間で販売交渉が行われ、購入者側であれば購入条件に合致する全ての販売者との間で購入交渉が行われることとなる。そのため、販売者と購入者との１対１の売買交渉に限定されることなく、複数の販売者又は購入者との間で売買交渉を行うことができ、従来技術のような問題点を解消することができる。また、売買者端末からの売買交渉要求とテーブルから取出された各売買交渉レコードとに基づいて、売買交渉処理がサーバマシンによって自動的に且つリアルタイムで行われるので、売買者は基本的には売買交渉要求をサーバマシンに送信するだけで足り、販売者と購入者との間でシステム上での遣り取りを行う必要がなく、商品売買の容易性を向上させることができる。
【実施例１】
【００２４】
図１は本発明の第１実施例に係る商品売買システムの全体構成を示す図で、１はサーバマシン、２，３，４は複数の通信端末であり、通信端末２，３，４はインターネットあるいはイントラネット等の通信網５を介してサーバマシン１に接続されるようになっている。
【００２５】
サーバマシン１は、例えば、商品情報登録処理、売買者登録処理、売買交渉状況及び商品情報の閲覧処理、売買者の認証処理、売買交渉処理、販売交渉状況画面又は購入交渉状況画面の提供処理等を行う。商品情報登録処理では売買される商品の登録が行われる。ここで、商品とは、最下位概念で表わされた商品名であり、また、有形物の商品に限定されるものではなく、例えば仕事の依頼などの無形物も含まれる。売買者登録処理では販売者又は購入者である売買者の登録が行われる。売買交渉状況及び商品情報の閲覧処理では、商品毎に、その商品の情報と共に、現在有効な即ち現在売買交渉中の全ての販売者及び購入者の売買交渉状況を一覧表示で提供する処理が行われる。売買者の認証処理では、売買者からのユーザＩＤ及びパスワードに基づいて売買者を特定するための処理が行われる。売買交渉処理では、販売者又は購入者である売買者からの売買交渉要求に基づいて売買交渉処理が行われる。販売交渉状況画面又は購入交渉状況画面の提供処理では、売買者からの履歴要求に基づいて、販売者又は購入者が行った自己の全ての売買交渉状況をその販売者又は購入者に提供するための処理が行われる。
【００２６】
販売者又は購入者である売買者は、通信端末２，３，４のうちの例えば通信端末２を売買者端末として、即ち、販売者であれば販売者端末として、購入者であれば購入者端末として使用することによって、商品の売買を行いたい場合に商品売買の条件及び要求を表わす売買交渉要求等をサーバマシン１に送信し、また、サーバマシン１から商品情報画面、販売交渉画面又は購入交渉画面等の各種の情報を受信する。通信端末２，３，４としては、パーソナルコンピュータに限定されるものではなく、モバイルホーンやＰＤＡ（Personal Digital Assiatant）等でもよい。売買交渉要求には、例えば、売買者の特定情報、売買商品の特定情報、価格情報、個数情報、複数の交渉モードのうちの１つを表わす交渉区分情報等が含まれている。更に、本例では、サーバマシン１への商品及び売買者の登録が管理者によって行われるようになっており、管理者は、例えば、通信端末４を管理者端末として使用することによって、サーバマシン１に商品及び売買者の登録を行うようになっている。なお、管理者は、サーバマシン１を直接使用することによって、このような登録を行うことも可能であることは勿論である。
【００２７】
図２は図１におけるサーバマシン１の一構成例を示すブロック図で、インターフェース６、制御部７、データベース８等を備え、インターフェース６を通して通信網５と接続されて、通信端末２，３，４に各種情報を送信し、また、通信端末２，３，４から売買交渉要求等の各種情報を受信するようになっている。
【００２８】
制御部７は、売買交渉処理部１０、売買交渉結果情報処理部１１、売買者情報処理部１２、商品情報処理部１３等を備えている。売買交渉処理部１０では、売買交渉処理が行われると共に、商品情報処理部１３等と協働して売買交渉状況及び商品情報の閲覧処理等が行われる。売買交渉結果情報処理部１１では、売買者からの履歴要求に応じて販売交渉状況画面又は購入交渉状況画面の提供処理等が行われる。売買者情報処理部１２では、売買者登録処理及び売買者の認証処理等が行われる。商品情報処理部１３では、商品情報登録処理等が行われる。
【００２９】
データベース８には、売買者情報テーブル１４、売買交渉情報テーブル１５、売買交渉成立情報テーブル１６及び商品情報テーブル１７等が設けられている。売買者情報テーブル１４には、販売者又は購入者である売買者の情報を表わす売買者レコードが、１売買者１レコードとして、売買者情報処理部１２により作成されて登録される。売買者情報テーブル１４への売買者登録は、本例では、管理者端末例えば通信端末４を使用する管理者によって行われる。売買交渉情報テーブル１５には、売買交渉状況を表わす売買交渉レコードが、売買者端末例えば通信端末２を使用する売買者から売買交渉要求が与えられる毎に、１要求１レコードとして、売買交渉処理部１０により作成されて登録される。売買交渉成立テーブル１６には、売買交渉の成立内容を表わす交渉成立レコードが、売買交渉が成立する毎に１成立１レコードとして、売買交渉処理部１０により作成されて登録される。商品情報テーブル１７には、商品情報である商品レコードが１商品１レコードとして、商品情報処理部１３により作成されて登録される。商品情報情報テーブル１７への商品登録は、本例では、通信端末４を管理者端末として使用する管理者によって行われる。
【００３０】
図３は図２のデータベース８に格納される売買者レコード、売買交渉レコード、交渉成立レコード及び商品レコードの一例を示す図であり、（Ａ）は売買者レコード、（Ｂ）は売買交渉レコード、（Ｃ）は交渉成立レコード、（Ｄ）が商品レコードである。
【００３１】
図３の（Ａ）に示される売買者レコードは、１売買者１レコードとして登録され、売買者認証処理や売買者情報取得時等に使用される。売買者レコードは、本例では、売買者番号２０Ａ、売買者名（姓）２０Ｂ、売買者名（名）２０Ｃ、ユーザＩＤ２０Ｄ、パスワード２０Ｅ、メールアドレス２０Ｆ及び登録時刻２０Ｇを有している。また、図３の（Ｂ）に示される売買交渉レコードは、販売者又は購入者である売買者からの販売交渉要求又は購入交渉要求である売買交渉要求を受ける毎に、１要求１レコードとして登録され、売買交渉処理、売買交渉状況及び商品情報の閲覧処理などの際に使用される。売買交渉レコードは、本例では、商品番号２１Ａ、交渉番号２１Ｂ、交渉区分２１Ｃ、売買者番号２１Ｄ、交渉価格２１Ｅ、交渉個数２１Ｆ、交渉個数残２１Ｇ、開始日時２１Ｈ及び終了日時２１Ｉを有している。この売買交渉レコードは、売買者番号２１Ｄを以って、図３の（Ａ）の売買者レコードと関連付けられている。なお、交渉区分として、販売者が後述する価格未指定複購入者販売交渉７４を選択した場合には、交渉価格２１Ｅとして入力可能な最低価格−１がサーバマシン１によって格納され、また、購入者が後述する価格未指定複販売者購入交渉８６を選択した場合には、入力可能な最大価格＋１がサーバマシン１によって格納される。また、図３の（Ｃ）に示される交渉成立レコードは、売買交渉が成立する毎に１成立１レコードとして登録され、販売者又は購入者の履歴である販売交渉状況画面又は購入交渉状況画面の提供処理などの際に用いられる。交渉成立レコードは、本例では、商品番号２２Ａ、交渉成立番号２２Ｂ、販売交渉番号２２Ｃ、購入交渉番号２２Ｄ、交渉成立価格２２Ｅ、交渉成立個数２２Ｆ及び交渉成立日時２２Ｇを有している。この交渉成立レコードは、商品番号２２Ａ等を以って、図３の（Ｂ）の売買交渉レコードと関連付けられている。更に、図３の（Ｄ）に示される商品レコードは、１商品１レコードとして登録され、商品番号２３Ａ、商品名２３Ｂ及び商品情報２３Ｃを有し、商品番号２３Ａを以って図３の（Ｂ）の売買交渉レコード及び図３の（Ｃ）の交渉成立レコードと関連付けられている。
【００３２】
図４及びは図５は図２のサーバマシンによって行われる処理動作の流れを示す図であり、図５は図４の同符号の端子Ａに接続される。
【００３３】
商品情報登録処理３０では、サーバマシン１から管理者端末である例えば通信端末４に図６の商品登録画面４０が提供される。図６はサーバマシン１から管理者端末４に与えられる商品登録画面４０の一例で、商品名が入力される商品名入力欄４１、商品の説明が入力される商品情報入力欄４２及び登録ボタン４３が設けられている。管理者によって、商品名入力欄４１には最下位概念で表わされる商品名が入力され、商品情報入力欄４２には例えば当該商品の性能、機能、メーカー側の標準価格等が入力される。その後、管理者によって登録ボタン４３が押されることにより、これらの商品情報がサーバマシン１に送信され、サーバマシン１の商品情報処理部１３により、図３の（Ｄ）の商品レコードが１商品１レコードとして作成される。即ち、当該商品を一意的に識別できるように他の商品レコードと重複しない商品番号が商品レコードの商品番号２３Ａに付けられ、管理者によって入力された商品名および商品情報が商品レコードの商品名２３Ｂ及び商品情報２３Ｃに入れられて、データベース８内の商品情報テーブル１７に登録される。商品は有形無形を問わない。ソフトウエア等の無形物でも商品の説明が書ければ何でも良い。また、商品情報入力欄４２として、例えばメーカーのホームページなどにリンクできるようにしてもよい。
【００３４】
売買者登録処理３１では、サーバマシン１から管理者端末４に図７の売買者登録画面４５が提供される。図７はサーバマシン１から管理者端末４に与えられる売買者登録画面４５の一例で、販売者又は購入者である売買者の姓名が入力される売買者名入力欄４６、売買者のユーザＩＤが入力されるユーザＩＤ入力欄４７、売買者のパスワードが入力されるパスワード入力欄４８、売買者のメールアドレスが入力されるメールアドレス入力欄４９及び登録ボタン５０が設けられている。売買交渉を行いたいユーザは予め管理者と例えば郵便、電子メール等によってコンタクトし、このコンタクトに基づいて管理者によって売買者名入力欄４６、ユーザＩＤ入力欄４７、パスワード入力欄４８及びメールアドレス入力欄４９への入力が行われる。その後、管理者によって登録ボタン５０が押されることにより、これらの売買者情報がサーバマシン１に送信され、サーバマシン１の売買者情報処理部１２により、図３の（Ａ）の売買者レコードが１売買者１レコードとして作成される。即ち、当該売買者を一意的に識別できるように他の売買者レコードと重複しない売買者番号が売買者レコードの売買者番号２０Ａに付けられ、管理者によって入力された売買者の姓名、ユーザＩＤ、パスワード、メールアドレスが売買者レコードの売買者名（姓）２０Ｂ、売買者名（名）２０Ｃ、ユーザＩＤ２０Ｄ、パスワード２０Ｅ、メールアドレス２０Ｆに入れられると共に、サーバマシン１によって登録時刻２０Ｇが入れられて、データベース８内の売買者情報テーブル１４に登録される。サーバマシン１は、売買者登録を終えると、そのメールアドレスに基づいて売買者端末である例えば通信端末２に電子メールで登録通知を与え、販売者又は購入者である売買者に登録された旨を知らしめる。
【００３５】
売買交渉状況及び商品情報の閲覧処理３２では、売買者からの閲覧要求に応答して、サーバマシン１から売買者端末である例えば通信端末２に、売買者から要求された商品毎に、全ての販売者及び全ての購入者の有効な即ち売買中の売買交渉要求の状況を一覧で表示する図８の商品情報画面５２が売買者端末２に提供される。売買者からの閲覧要求は、例えば、本システムのホームページ上で商品を特定しクリックすることによって行われ、その際に特定された商品の商品番号がサーバマシン１に与えられる。サーバマシン１の売買交渉処理部１０及び商品情報処理部１３により、この商品番号に基づいて、データベース８から当該商品に該当する商品レコード（図３の（Ｄ））及び有効な即ち売買が終了していない売買交渉レコード（図３の（Ｂ））が検索されて商品情報画面５２が作成され、売買者端末２に提供される。図８は、サーバマシン１から売買者端末２に与えられる商品情報画面５２の一例である。商品名５３には、商品情報登録処理３０で登録された商品名入力欄４１の商品名が記載されている。売買交渉状況５４には、現在において売買交渉中の全ての状況が一覧表示で示されており、「売ります」側が販売者側、「買います」側が購入者側である。例えば、売買交渉状況５４の第１欄５４−１には、販売者側からの売買交渉要求即ち販売交渉要求が１件あり、販売する商品個数は６個で、１個４，０５０円で販売したいことが示されている。また、第５欄５４−５には、購入者側からの売買交渉要求即ち購入交渉要求が４件あり、その商品の累計個数は９個で、１個３，４８０円で購入したいことが示されている。このように、売買交渉状況５４には、全ての販売者及び購入者の売買交渉状況が一覧表示されているので、その商品に関する現在の全ての交渉状況を容易に認識することができる。商品情報５５には、商品情報登録処理３０で登録された商品情報入力欄４２の記載内容が表示されている。更に、「商品を売る・価格交渉をする」ボタン５６及び「商品を買う・価格交渉をする」ボタン５７が設けられている。売買者登録処理３１で売買者登録済みの売買者であれば、このボタン５６又は５７をクリックすることにより、次に述べる売買者の認証処理３３を経て売買交渉に入ることができる。なお、本例では、図８の商品情報画面５２は売買者登録の有無に拘わらず見ることができる。
【００３６】
売買者の認証処理３３では、サーバマシン１が売買者を特定する必要がある場合、例えば商品情報画面５２の「商品を売る・価格交渉をする」ボタン５６又は「商品を買う・価格交渉をする」ボタン５７がクリックされた場合等に、サーバマシン１から販売者端末又は購入者端末である本例では通信端末２に図９の認証画面６０が提供される。図９はサーバマシン１から売買者端末２に与えられる認証画面６０の一例で、ユーザＩＤを入力するユーザＩＤ入力欄６１、パスワードを入力するパスワード入力欄６２及び認証ボタン６３が設けられている。売買者によってユーザＩＤ及びパスワードが入力されて認証ボタン６３がクリックされることによって、サーバマシン１の売買者情報処理部１２により図３の（Ａ）の売買者レコードに基づいて売買者の特定が行われ、売買者の特定が完了することによって、例えば商品情報画面５２の「商品を売る・価格交渉をする」ボタン５６又は「商品を買う・価格交渉をする」ボタン５７のクリックに伴う次の処理への移行が許容されることとなる。例えばユーザＩＤ及び／又はパスワードを入力することなく認証ボタン６３を押した場合などのように、サーバマシン１が売買者を特定できない場合には、次の処理への移行が許容されず、例えばこの認証画面６０の表示が継続される。
【００３７】
サーバマシン１によって売買者の認証が完了することによって、図８の商品情報画面５２の「商品を売る・価格交渉をする」ボタン５６又は「商品を買う・価格交渉をする」５７のクリックに伴う次の処理への移行が許容される。この場合、サーバマシン１の売買交渉処理部１０により、商品の販売か購入かを判断する売買交渉の判断処理３４が行われる。これは、売買者が商品情報画面５２の「商品を売る・価格交渉をする」ボタン５６又は「商品を買う・価格交渉をする」５７の何れを押したかに基づいて行われる。売買者が販売者であり、商品情報画面５２の「商品を売る・価格交渉をする」ボタン５６をクリックしたとすると、販売者端末である売買者端末２に図１０の販売交渉画面６５が提供される。また、売買者が購入者であり、商品情報画面５２の「商品を買う・価格交渉をする」ボタン５７をクリックしたとすると、購入者端末である売買者端末２に図１１の購入交渉画面７７が提供される。
【００３８】
図１０は、サーバマシン１から販売者端末である本例では通信端末２に与えられる販売交渉画面６５の一例である。この販売交渉画面６５が販売者端末２に提供されるとき、サーバマシン１の売買交渉処理部１０により、商品番号及び売買者番号が内在付加されて販売交渉画面６５が販売者端末２に提供される。この販売交渉画面６５において、商品名６６及び売買交渉状況６７は図８の商品情報画面５２の商品名５３及び売買交渉状況５４と同様である。「商品販売・価格交渉」欄６８には、交渉モードである交渉区分６９、販売個数が入力される販売個数入力欄７０及び交渉要求ボタン７１が設けられている。
【００３９】
交渉区分６９は、例えば、本例では択一的に選択される３種類の交渉であり、販売者が指定した価格以上で１又は複数の購入者と交渉するモードである価格指定複購入者販売交渉７２、販売者が指定した価格以上で且つ販売者が指定した個数をまとめて購入する単一の購入者と交渉するモードである価格指定単購入者販売交渉７３、及び、販売者が価格を指定することなく１又は複数の購入者と交渉するモードである価格未指定複購入者販売交渉７４が設けられている。これらの交渉７２，７３及び７４はラジオボタン７５をクリックすることによって、何れか１つの交渉が選択されるようになっている。価格指定複購入者販売交渉７２には、本例では、販売価格入力欄７２ａが設けられていると共に、「円以上で買ってもいい購入交渉を見つけたらできるだけ高く商品を売る。商品が残ったら残りを引き続き交渉する。」旨が表記されている。「商品が残ったら残りを引き続き交渉する。」とは、商品が売れ残った場合にその残りの商品を図８の商品情報画面５２の売買交渉状況５４に載せて販売状態下に置くことを表わしている。価格指定単購入者販売交渉７３には、本例では、販売価格入力欄７３ａ設けられていると共に、「円以上で指定個数まとめて買ってもいい購入交渉１件を見つけたらできるだけ高く商品を売る。見つけられなくても交渉を終える。」旨が表記されている。ここで、指定個数とは販売個数入力欄７０に入力された個数であり、また、「見つけられなくても交渉を終える。」とは、指定個数まとめ買いする一人の購入者がいない場合に引き続き販売状態下に置くことなく交渉を終了することを表わしている。価格未指定複購入者販売交渉７４には、「いくらでもいいから売る。商品が残ったら残りを引き続き交渉する。」旨が表記されている。販売者は、ラジオボタン７５のクリックで価格指定複購入者販売交渉７２、価格指定単購入者販売交渉７３又は価格未指定複購入者販売交渉７４の何れかを選択し、価格指定複購入者販売交渉７２又は価格指定単購入者販売交渉７３を選択した場合には販売価格入力欄７２ａ又は７３ａに販売価格を入力し、販売個数入力欄７０に販売個数を入力する。その後、販売者によって交渉要求ボタン７１が押されることによって、交渉区分、価格指定複購入者販売交渉７２又は価格指定単購入者販売交渉７３を選択した場合の販売価格、販売個数等の商品売買の条件及び要求を表わす売買交渉要求である販売交渉要求が、販売者端末２からサーバマシン１に送信される。これと共に、商品番号及び売買者番号がサーバマシン１によって付加されているので、この販売交渉要求である売買交渉要求に当該商品の商品番号及び当該販売を要求した販売者の売買者番号が自動的に内在付加されて、サーバマシン１に送信される。
【００４０】
図１１は、サーバマシン１から購入者端末である本例では通信端末２に与えられる購入交渉画面７７の一例である。この購入交渉画面７７が購入者端末２に提供されるとき、サーバマシン１の売買交渉処理部１０により、商品番号及び売買者番号が内在付加されて当該購入交渉画面７７が購入者端末２に提供される。この購入交渉画面７７において、商品名７８及び売買交渉状況７９は図８の商品情報画面５２の商品名５３及び売買交渉状況５４と同様である。「商品購入・価格交渉」欄８０には、交渉モードである交渉区分８１、購入個数が入力される購入個数入力欄８２及び交渉要求ボタン８３が設けられている。
【００４１】
交渉区分８１は、例えば、本例では択一的に選択される３種類の交渉であり、購入者が指定した価格以下で１又は複数の販売者と交渉するモードである価格指定複販売者購入交渉８４、購入者が指定した価格以下で且つ購入者が指定した個数をまとめて販売する単一の販売者と交渉するモードである価格指定単販売者購入交渉８５、及び、購入者が価格を指定することなく１又は複数の販売者と交渉するモードである価格未指定複販売者購入交渉８６が設けられている。これらの交渉８４，８５及び８６はラジオボタン８７をクリックすることによって、何れか１つの交渉が選択されるようになっている。価格指定複販売者購入交渉８４には、本例では、購入価格入力欄８４ａが設けられていると共に、「円以下で売ってもいい販売交渉を見つけたらできるだけ安く商品を買う。商品が残ったら残りを引き続き交渉する。」旨が表記されている。「商品が残ったら残りを引き続き交渉する。」とは、必要個数の商品を購入することができなかった場合に購入することができなかった個数を図８の商品情報画面５２の売買交渉状況５４に載せて引き続き購入状態下に置くことを表わしている。価格指定単販売者購入交渉８５には、本例では、購入価格入力欄８５ａ設けられていると共に、「円以下で指定個数まとめて売ってもいい販売交渉１件を見つけたらできるだけ安く商品を買う。見つけられなくても交渉を終える。」旨が表記されている。ここで、指定個数とは購入個数入力欄８２に入力された個数であり、また、「見つけられなくても交渉を終える。」とは、指定個数まとめて売る一人の販売者がいない場合に引き続き販売状態下に置くことなく交渉を終了することを表わしている。価格未指定複販売者購入交渉８６には、「いくらでもいいから買う。商品が残ったら残りを引き続き交渉する。」旨が表記されている。購入者は、ラジオボタン８７のクリックで価格指定複販売者購入交渉８４、価格指定単販売者購入交渉８５又は価格未指定複販売者購入交渉８６の何れかを選択し、価格指定複販売者購入交渉８４又は価格指定単販売者購入交渉８５を選択した場合には購入価格入力欄８４ａ又は８５ａに購入価格を入力し、購入個数入力欄８２に購入個数を入力する。その後、購入者によって交渉要求ボタン８３が押されることによって、交渉区分、価格指定複販売者購入交渉８４又は価格指定単販売者購入交渉８５２を選択した場合の購入価格、購入個数等の商品売買の条件及び要求を表わす売買交渉要求である購入交渉要求が、購入者端末２からサーバマシン１に送信される。これと共に、商品番号及び売買者番号がサーバマシン１によって付加されているので、この購入交渉要求に当該商品の商品番号及び当該購入を要求した購入者の売買者番号が自動的に付加されて、サーバマシン１に送信される。
【００４２】
このように、販売者又は購入者によって売買者端末である例えば通信端末２から販売交渉要求又は購入交渉要求である売買交渉要求がサーバマシン１に送信されると、サーバマシン１では売買交渉処理３５が開始される。
【００４３】
売買交渉処理３５では、売買者端末である例えば通信端末２等からの売買交渉要求に応答して、サーバマシン１の売買交渉処理部１０により、売買交渉要求が販売者側からのものであればその売買交渉要求に合致する全ての有効な購入者側の売買交渉レコード（図３の（Ｂ））がデータベース８の売買交渉情報テーブル１５から取出され、その売買交渉要求が購入者側からのものであれば当該売買交渉要求に合致する全ての有効な販売者側の売買交渉レコード（図３の（Ｂ））が売買交渉情報テーブル１５から取出される。有効な売買交渉レコードとは、現在売買交渉の状態下に置かれている売買交渉レコードであり、商品を販売又は購入し尽して商品個数が０のものは含まれない。売買交渉レコードが有効か無効かは、例えば、売買交渉レコードの終了日時２１Ｉに基づいて判断され、未だ売買中で有効な場合には終了日時２１Ｉが表示されていない未指定（ＮＵＬＬ）とされる。また、購入者側の売買交渉レコードの取出し又は販売者側の売買交渉レコードの取出しは、売買交渉レコードの交渉区分２１Ｃに基づいて行われる。即ち、販売者側であれば交渉区分２１Ｃには図１０の交渉区分６９の交渉７２又は７３又は７４の何れかが入っており、販売者側であれば図１１の交渉区分８１の交渉８４又は８５又は８６の何れかが入っているので、これに基づいて容易に判別することができる。
【００４４】
売買交渉レコード（図３の（Ｂ））の取出しは、本例では売買交渉処理部１０により、所定の優先順位に従って売買交渉情報テーブル１５から取出され、優先順位の高い売買交渉レコードから順に売買交渉の成立処理が行われる。例えば、交渉区分６９、８１（図１０、図１１）の優先順位として、本例では、価格未指定複購入者販売交渉７４及び価格未指定複販売者購入交渉８６が優先順位が最も高く、価格指定複購入者販売交渉７２及び価格指定複販売者購入交渉８４が第２順位であり、価格指定単購入者販売交渉７３及び価格指定単販売者購入交渉８５が第３順位に設定されている。これにより、例えば、販売者が価格指定複購入者販売交渉７２を選択して売買交渉要求を与えた場合、これに合致する購入者側の売買交渉レコードのうち、売買交渉レコードの交渉区分２１Ｃ（図３の（Ｂ））に価格未指定複販売者購入交渉８６のものがあれば、当該売買交渉レコードが最優先で取出されることになる。なお、このような売買交渉レコードの取出しは、データベース８の機能によって行うようにすることもできる。
【００４５】
売買者端末である例えば通信端末２からの売買交渉要求には、前述したように、商品番号、売買者番号、交渉区分、個数、選択された交渉区分に応じて必要とされる価格等が含まれている。売買交渉の成立処理では、売買交渉処理部１０により、このような売買交渉要求と優先順位順に取出された当該売買交渉要求に合致する各売買交渉レコードとの比較に基づいて行われる。例えば、売買交渉要求が販売者側からの販売交渉要求であるとすると、取出された購入者側の売買交渉レコードから優先順位順に１つの購入者側の売買交渉レコードを取出し、この購入者側の売買交渉レコードの交渉個数残２１Ｇ（図３の（Ｂ））と販売者側の販売交渉要求の販売個数とが比較される。例えば、販売個数が１０個で、購入者側の交渉個数残が３個とすると、この３個について売買交渉が成立することとなる。購入者側の交渉個数残２１Ｇは０個となり、購入者側の当該売買交渉レコードは終了日時２１Ｉ（図３の（Ｂ））に終了日時が入力されて無効即ち売買交渉の終了となる。販売個数は未だ７個残っているので、次の購入者側の売買交渉レコードが取出され、同様の処理が繰り返される。
【００４６】
取出された各売買交渉レコードとの間で売買交渉が成立すると、これが成立する毎に、現在処理中の売買交渉レコードの売買交渉状況が更新されて売買交渉情報テーブル１５に更新登録される。即ち、上述の例で言えば、購入者側の売買交渉レコードの交渉個数残２１Ｇ（図３の（Ｂ））が０にされ、また、終了日時２１Ｉがセットされて更新登録される。また、売買交渉の成立毎に、売買交渉の成立内容を表わす交渉成立レコード（図３の（Ｃ））が１成立１レコードとしてデータベース８の売買交渉成立情報テーブル１６に格納される。交渉成立レコードの商品番号２２Ａには売買交渉要求で与えられた商品番号が入れられ、交渉成立番号２２Ｂにはサーバマシン１の売買交渉処理部１０により設定される交渉成立番号が入れられる。販売交渉番号２２Ｃには、売買交渉要求が販売者側からのものであれば売買交渉処理部１０により設定される交渉番号が入れられ、売買交渉要求が購入者側からのものであれば対象となった売買交渉レコードの交渉番号２１Ｂ（図３の（Ｂ））が入れられる。購入交渉番号２２Ｄには、売買交渉要求が販売者側からのものであれば対象となった売買交渉レコードの交渉番号２１Ｂ（図３の（Ｂ））が入れられ、売買交渉要求が購入者側からのものであれば売買交渉処理部１０により設定される交渉番号が入れられる。交渉成立価格２２Ｅには対象となった売買交渉レコードの交渉価格２１Ｅ（図３の（Ｂ））が入れられ、交渉成立個数２２Ｆには交渉が成立した商品個数が入れられる。なお、価格未指定複購入者販売交渉７４（図１０）又は価格未指定複販売者購入交渉８６（図１１）の場合には、交渉成立レコードの交渉成立価格２２Ｅには売買交渉要求の価格が入れられる。交渉成立日時２２Ｇには交渉が成立した現在時刻が入れられる。このように売買交渉が成立すると、サーバマシン１の売買交渉処理部１０により、販売者端末及び購入者端末である例えば通信端末２及び３に売買交渉成立メールが送信される。そして、売買者端末２からの売買交渉要求に含まれる商品の個数がなくなるか又は売買交渉情報テーブル１５から取出された全ての売買交渉レコードがなくなるまで、このような売買交渉の成立処理が繰り返され、売買交渉要求内の商品個数がなくなるか又は取出された全ての売買交渉レコードがなくなることで売買交渉処理が終了される。
【００４７】
更に、売買交渉処理３５では、売買交渉処理の終了に先立って、サーバマシン１の売買交渉処理部１０により、売買者端末である例えば通信端末２等からのこのような売買交渉要求が与えられる毎に、１要求１レコードとして売買交渉状況を表わす図３の（Ｂ）の売買交渉レコードが作成されて、データベース８の売買交渉情報テーブル１５に格納される。従って、サーバマシン１に売買交渉要求が与えられる毎に、１要求１レコードの売買交渉レコードが蓄積されることとなる。売買交渉レコードの商品番号２１Ａには売買交渉要求で与えられた商品番号が入れられ、交渉番号２１Ｂにはサーバマシン１の売買交渉処理部１０により設定される交渉番号が入れられる。交渉区分２１Ｃには売買交渉要求で与えられた交渉区分が入れられ、売買者番号２１Ｄには売買交渉要求で与えられた売買者番号が入れられる。また、交渉価格２１Ｅには売買交渉要求で与えられた売買価格が入れられる。前述したように、価格が未指定の交渉区分、即ち、販売者が価格未指定複購入者販売交渉７４を選択した場合には、交渉価格２１Ｅとして入力可能な最低価格−１がサーバマシン１によって格納され、また、購入者が価格未指定複販売者購入交渉８６を選択した場合には、入力可能な最大価格＋１がサーバマシン１によって格納される。このような売買交渉処理２５は、後述する図１４、図１５及び図１６のフローチャートによって更に明確に理解することができる。
【００４８】
販売交渉状況画面又は購入交渉状況画面の提供処理３６では、販売者又は購入者である売買者からの履歴要求に応答して、サーバマシン１から売買者端末である例えば通信端末２に、図１２の販売交渉履歴又は図１３の購入交渉履歴が提供される。売買者からの履歴要求は、例えば、本システムのホームページ上で所定のスイッチをクリックすることによって行われるが、その際に、前述した売買者の認証処理３３が行われ、売買者の特定を前提として、サーバマシン１の売買交渉結果処理部１１により、データベース８内の各テーブル１４〜１７の検索を介して、売買者端末２に売買者自身の販売交渉履歴又は購入交渉履歴が提供される。図１２は販売交渉状況画面の一例で、販売交渉履歴９０，９１はそれぞれ販売交渉１件において１つの履歴になっている。販売交渉履歴９０，９１には、販売交渉価格、販売個数、販売交渉が有効か否か即ちステータスが交渉中か終了か等が表示されていると共に、交渉成立一覧に、交渉が成立した購入者名、価格、個数、日時が表示されており、また購入者へのメールスイッチが設けられている。これによって、販売交渉から販売交渉成立までの全ての履歴が閲覧できるようになっている。図１３は購入交渉状況画面の一例で、購入交渉履歴９２，９３はそれぞれ購入交渉１件において１つの履歴になっている。購入交渉履歴９２，９３には、購入交渉価格、購入個数、購入交渉が有効か否か即ちステータスが交渉中か終了か等が表示されていると共に、交渉成立一覧に、交渉が成立した販売者名、価格、個数、日時が表示されており、また販売者へのメールスイッチが設けられている。これによって、購入交渉から購入交渉成立までの全ての履歴が閲覧できるようになっている。
【００４９】
図１４、図１５及び図１６は、図５の売買交渉処理３５を示すフローチャートで、図１５は図１４の同符号の端子Ａに接続され、図１６は図１４及び図１５の同符号の端子Ｂ、Ｃ及びＤに接続される。
【００５０】
販売者端末又は購入者端末である例えば通信端末２から売買交渉要求がサーバマシン１に送信されると、サーバマシン１はステップ１００で販売交渉要求又は購入交渉要求である売買交渉要求を取得する。売買交渉要求には、前述したように、商品番号、売買者番号、交渉区分、交渉個数、選択された交渉区分に応じて必要とされる交渉価格等が含まれている。次いで、サーバマシン１はステップ１０１に入り、売買交渉要求の商品番号に基づいて、売買交渉情報テーブル１５の該当する商品をもつ全ての売買交渉レコード（図３の（Ｂ））がロックされる。これにより、同一商品に対して同時に複数の売買者による交渉が生じることが防止され、所謂先にロック取りした売買者の売買交渉のみが選択される。なお、先にロック取りできなかった売買者は、例えば、図１０の販売交渉画面６５又は図１１の購入交渉画面７７のままで待ち状態とされ、後述するロック解除で自動的に売買交渉に入ることとなる。
【００５１】
その後、サーバマシン１はステップ１０２に入り、当該売買交渉要求の条件に合致する全ての有効な売買交渉レコード（図３の（Ｂ））が売買交渉情報テーブル１５から優先順位順に取出される。この売買交渉要求が販売者側からのものであれば、その売買交渉要求である販売交渉要求の条件に合致する全ての有効な購入者側の売買交渉レコードが売買交渉情報テーブル１５から優先順位順に取出される。その売買交渉要求が購入者側からのものであれば、当該売買交渉要求である購入交渉要求に合致する全ての有効な販売者側の売買交渉レコードが売買交渉情報テーブル１５から取出される。なお、売買交渉要求の条件に合致する有効な売買交渉レコードが売買交渉情報テーブル１５内になければ、取出される売買交渉レコードは０になる。前述したように、購入者側の売買交渉レコードの取出し又は販売者側の売買交渉レコードの取出しは、売買交渉レコードの交渉区分２１Ｃ（図３の（Ｂ））に基づいて行われる。また、有効な売買交渉レコードか否かは売買交渉レコードの終了日時２１Ｉ（図３の（Ｂ））に基づいて判断され、終了日時２１Ｉが未定義即ち表示されていないものが有効とされる。
【００５２】
次いで、サーバマシン１はステップ１０３に入り、ステップ１０２で取出された売買交渉レコードが０か否かが判断される。売買交渉レコードがあることで、サーバマシン１は次のステップ１０４に入る。一方、取出される売買交渉レコードがなければ、サーバマシン１はステップ１０３から直ちに後述する図１６のステップ１１６に入ることとなる。
【００５３】
優先順位の基本条件として、本例では、売買交渉レコードの終了日時２１Ｉが未定義で、開始日時２１Ｈ（図３の（Ｂ））が早いものの順とされている。
【００５４】
この基本条件にＡＮＤ演算される販売交渉要求の追加条件として、売買交渉要求が販売者からの販売交渉要求である場合に、購入者側の売買交渉レコードで、交渉価格２１Ｅ（図３の（Ｂ））即ち購入価格が高いものの順にされる。従って、例えば、購入者側の売買交渉レコードの交渉区分２１Ｃが価格未指定複販売者購入交渉８６（図１１）であれば、購入者側の交渉価格２１Ｅには入力可能な最大価格＋１が入れられて最優先とされているので、この購入者側の売買交渉レコードが最初に取出されることとなる。これにより、価格は幾らでもいいから買うという購入者を待たせることなく、迅速に売買交渉の対象とすることができる。更に、上述の基本条件及び販売交渉要求の追加条件にＡＮＤ演算される価格指定複購入者販売交渉７２（図１０）の追加条件として、売買交渉要求である販売交渉要求の交渉区分が価格指定複購入者販売交渉７２の場合に、購入者側の売買交渉レコードの交渉価格２１Ｅが販売交渉要求の販売交渉価格以上のものとされる。従って、例えば、購入者側の売買交渉レコードとして交渉価格２１Ｅが「３５００円」、「３０００円」、「２５００円」の３つの売買交渉レコードがあり、販売者側の売買交渉要求の販売交渉価格が「３０００円」であるとすれば、最優先のものとして「３５００円」をもつ購入者側の売買交渉レコードが先ず取出され、次に「３０００円」のものが取出され、「２５００円」のものについては条件が合致しないものとして取出されない。更に、上述の基本条件及び販売交渉要求の追加条件にＡＮＤ演算される価格指定単購入者販売交渉７３（図１０）の追加条件として、売買交渉要求である販売交渉要求の交渉区分が価格指定単購入者販売交渉７３の場合に、購入者側の売買交渉レコードの交渉価格２１Ｅが販売交渉要求の販売交渉価格以上で、且つ、その交渉個数残２１Ｇ（図３の（Ｂ））が販売交渉要求の販売交渉個数以上のものとされる。従って、例えば、購入者側の売買交渉レコードとして交渉価格２１Ｅが「３５００円」で交渉個数残２１Ｇが「６個」、「３０００円」で「１１個」、「２５００円」で「１０個」の３つの売買交渉レコードがあり、販売者側の売買交渉要求の販売交渉価格が「３０００円」で販売交渉個数が「１０個」であるとすれば、最優先のものとして「３０００円」で「１１個」をもつ購入者側の売買交渉レコードが取出され、「３５００円」で「６個」のものは個数が足りないので取出されず、また、「２５００円」で「１０個」ものは価格を満足しないので取出されない。更に、上述の基本条件及び販売交渉要求の追加条件にＡＮＤ演算される価格未指定複購入者販売交渉７４（図１０）の追加条件として、売買交渉要求である販売交渉要求の交渉区分が価格未指定複購入者販売交渉７４の場合に、購入者側の売買交渉レコードの交渉区分２１Ｃが価格未指定複販売者購入交渉８６（図１１）である売買交渉レコードが除かれる。これは、価格が幾らでもいいから売るという販売者と価格が幾らでもいいから買うという購入者とでは矛盾が生じるためである。
【００５５】
上述の基本条件にＡＮＤ演算される購入交渉要求の追加条件として、売買交渉要求が購入者からの購入交渉要求である場合に、販売者側の売買交渉レコードで、交渉価格２１Ｅ即ち販売価格が低いものの順にされる。従って、例えば、販売者側の売買交渉レコードの交渉区分２１Ｃが価格未指定複購入者販売交渉７４（図１０）であれば、販売者側の交渉価格２１Ｅには入力可能な最低価格−１が入れられて最優先とされているので、この販売者側の売買交渉レコードが最初に取出されることとなる。これにより、価格は幾らでもいいから売るという販売者を待たせることなく、迅速に売買交渉の対象とすることができる。更に、上述の基本条件及び購入交渉要求の追加条件にＡＮＤ演算される価格指定複販売者購入交渉８４（図１１）の追加条件として、売買交渉要求である購入交渉要求の交渉区分が価格指定複販売者購入交渉８４の場合に、販売者側の売買交渉レコードの交渉価格２１Ｅが購入交渉要求の購入交渉価格以下のものとされる。従って、例えば、販売者側の売買交渉レコードとして交渉価格２１Ｅが「３５００円」、「３０００円」、「２５００円」の３つの売買交渉レコードがあり、購入者側の売買交渉要求の購入交渉価格が「３０００円」であるとすれば、最優先のものとして「２５００円」をもつ販売者側の売買交渉レコードが取出され、次に「３０００円」のものが取出され、「３５００円」のものについては条件が合致しないものとして取出されない。更に、上述の基本条件及び購入交渉要求の追加条件にＡＮＤ演算される価格指定単販売者購入交渉８５（図１１）の追加条件として、売買交渉要求である購入交渉要求の交渉区分が価格指定単販売者購入交渉８５の場合に、販売者側の売買交渉レコードの交渉価格２１Ｅが購入交渉要求の購入交渉価格以下で、且つ、その交渉個数残２１Ｇが購入交渉要求の購入交渉個数以上のものとされる。従って、例えば、販売者側の売買交渉レコードとして交渉価格２１Ｅが「３５００円」で交渉個数残２１Ｇが「６個」、「３０００円」で「１１個」、「２５００円」で「１０個」の３つの売買交渉レコードがあり、購入側の売買交渉要求の購入交渉価格が「３０００円」で購入交渉個数が「１０個」であるとすれば、最優先のものとして「２５００円」で「１０個」をもつ販売者側の売買交渉レコードが取出され、次に「３０００円」で「１１個」のものが取出され、「３５００円」で「６個」ものは価格及び個数を満足しないので取出されない。更に、上述の基本条件及び購入交渉要求の追加条件にＡＮＤ演算される価格未指定複販売者購入交渉８６（図１０）の追加条件として、売買交渉要求である購入交渉要求の交渉区分が価格未指定複販売者購入交渉８６の場合に、販売者側の売買交渉レコードの交渉区分２１Ｃが価格未指定複購入者販売交渉７４（図１０）である売買交渉レコードが除かれる。これは、価格が幾らでもいいから買うという購入者と価格が幾らでもいいから売るという販売者とでは矛盾が生じるためである。
【００５６】
このように、売買交渉情報テーブル１５から売買交渉レコードが取出された後、サーバマシン１はステップ１０４に入り、交渉番号及び交渉成立番号が一意的に設定される。その後、サーバマシン１はステップ１０５に入り、売買交渉要求の交渉個数、即ち、販売交渉要求の販売交渉個数又は購入交渉要求の購入交渉個数が交渉個数残として初期設定される。次に、サーバマシン１はステップ１０６に入り、最初の売買交渉レコードが設定される。データベース８の売買交渉情報テーブル１５から取出された売買交渉レコードは上述したように優先順位順に取出されているので、最優先の売買交渉レコードが売買交渉処理の対象として先ず設定されることとなる。
【００５７】
次いで、サーバマシン１はステップ１０７に入り、売買交渉要求の交渉個数残と設定された売買交渉レコードの交渉個数残２１Ｇとを比較することによって交渉成立個数が演算され、少ない方が交渉成立個数になる。売買交渉要求の交渉個数残はステップ１０５で初期設定されている。例えば、売買交渉要求が販売者側からの販売交渉要求であり、その販売個数即ちステップ１０５で設定された交渉個数残が「１０個」であるとし、処理対象として現在設定されている購入者側の売買交渉レコードの交渉個数残２１Ｇが「６個」であるとすると、購入者側の売買交渉レコードの「６個」が交渉成立個数となる。売買交渉要求が購入者からの購入交渉要求の場合も同様である。
【００５８】
次いで、サーバマシン１はステップ１０８に入り、売買交渉要求の交渉個数残からステップ１０７で得られた交渉成立個数を減算することによって、売買交渉要求の残りの交渉個数残が演算される。例えば、上述の例によれば、１０−６＝４が売買交渉要求の残りの交渉個数残になる。その後、サーバマシン１はステップ１０９に入り、売買交渉レコードの交渉個数残２１Ｇからステップ１０７で得られた交渉成立個数を減算することによって、当該売買交渉レコードの交渉個数残２１Ｇを演算する。例えば、上述の例によれば、６−６＝０が売買交渉レコードの交渉個数残２１Ｇになる。次いで、サーバマシン１はステップ１１０に入り、処理対象として現在設定されている売買交渉レコードの交渉個数残２１Ｇがステップ１０９で得られた交渉個数残に更新され、また、ステップ１０９で得られた交渉個数残が０であれば当該売買交渉レコードの終了日時２１Ｉに現在の日時が入れられて、データベース８の売買交渉情報テーブル１５に更新登録される。上述の例によれば、売買交渉レコードの交渉個数残２１Ｇが０に更新され、その終了日時２１Ｉに現在日時が入れられて更新登録される。終了日時２１Ｉが記入されることによって、当該売買交渉レコードは無効即ち終了とされる。
【００５９】
その後、サーバマシン１はステップ１１１に入り、図３の（Ｃ）の交渉成立レコードが作成され、データベース８の売買交渉成立情報テーブル１６に格納される。交渉成立レコードの商品番号２２Ａには売買交渉要求で送られてきた商品番号が入れられ、交渉成立番号２２Ｂにはステップ１０４で設定された交渉成立番号が入れられる。販売交渉番号２２Ｃには、売買交渉要求が販売者側からのものであればステップ１０４で設定された交渉番号が入れられ、売買交渉要求が購入者側からのものであれば売買交渉レコードの交渉番号２１Ｂが入れられる。購入交渉番号２２Ｄには、売買交渉要求が販売者側からのものであれば売買交渉レコードの交渉番号２１Ｂが入れられ、売買交渉要求が購入者側からのものであればステップ１０４で設定された交渉番号が入れられる。また、交渉成立価格２２Ｅには売買交渉レコードの交渉価格２１Ｅが入れられ、交渉成立個数２２Ｆにはステップ１０７で得られた交渉成立個数が入れられ、交渉成立日時２２Ｇには現在の日時が入れられる。なお、価格未指定複購入者販売交渉７４（図１０）又は価格未指定複販売者購入交渉８６（図１１）の場合には、売買交渉レコードの交渉価格２１Ｅには売買交渉要求の価格が入れられる。
【００６０】
このような交渉成立レコードの作成登録後、サーバマシン１はステップ１１２に入り、交渉成立レコードの販売交渉番号２２Ｃ及び購入交渉番号２２Ｄに対応する販売者及び購入者がデータベース８から検索され、双方にメールで交渉成立が通知される。その後、サーバマシン１はステップ１１３に入り、ステップ１０８で得られた売買交渉要求の交渉個数残が０か又はステップ１０２で取出された売買交渉レコードが全てなくなったか否かが判断される。
【００６１】
ステップ１１３で売買交渉要求の交渉個数残が０ではなく且つ売買交渉レコードがまだあれば、サーバマシン１はステップ１１３からステップ１１４に入り、次の交渉成立番号が一意的に設定される。その後、ステップ１１５で次の優先順位の売買交渉レコードが設定されて、サーバマシン１はステップ１０７に戻り、売買交渉要求の交渉個数残が０か又は売買交渉レコードが全てなくなるまで、ステップ１０７からステップ１１２の処理が繰り返される。
【００６２】
ステップ１１３で売買交渉要求の交渉個数残が０になるか又は売買交渉レコードが全てなくなることで、サーバマシン１はステップ１１３からステップ１１６に入り、当該売買交渉要求に対する図３の（Ｂ）の売買交渉レコードが新規に作成されてデータベース８の売買交渉情報テーブル１５に格納される。売買交渉レコードの商品番号２１Ａには売買交渉要求で送られてきた商品番号が入れられ、交渉番号２１Ｂにはステップ１０４で設定された交渉番号が入れられる。交渉区分２１Ｃには売買交渉要求で送られてきた交渉区分が入れられ、売買者番号２１Ｄには売買交渉要求で送られてきた売買者を特定する売買者番号が入れられる。また、交渉価格２１Ｅには売買交渉要求で送られてきた価格が入れられ、交渉区分が価格未指定複購入者販売交渉７４（図１０）又は価格未指定複販売者購入交渉８６（図１１）の場合には入力可能な最低価格−１又は入力可能な最大価格＋１がサーバマシン１によって入れられる。また、交渉個数２１Ｆには売買交渉要求で送られてきた交渉個数が入れられ、交渉個数残２１Ｇには売買交渉処理の終了時にステップ１０８で得られる交渉個数残が入れられる。更に、開始日時２１Ｈには現在の日時が入れられ、終了日時２１Ｉには、当該売買交渉要求の交渉個数残が０の場合には交渉が終了したので現在の日時が入れられ、その交渉個数残が０ではない場合には交渉が未だ終了していないので未定義（ＮＵＬＬ）即ち何も入れられない。なお、売買交渉要求の交渉区分が価格未指定複購入者販売交渉７４（図１０）又は価格未指定複販売者購入交渉８６（図１１）の場合には、本例では売買交渉を引き続いては行わないので現在の日時が入れられ、無効とされる。
【００６３】
その後、サーバマシン１はステップ１１７に入り、ステップ１０１でロックされた売買交渉情報テーブル１５の売買交渉レコードのロックが解除され、売買交渉処理が終了される。この終了で、待ち状態とされた先にロック取りできなかった売買者がいれば、自動的に売買交渉に入ることとなる。
【実施例２】
【００６４】
上述した第１実施例では、販売者が交渉区分６９（図１０）において価格指定複購入者販売交渉７２又は価格未指定複購入者販売交渉７４を選択し、売買交渉処理の終了で販売商品が残った場合に、図１５のステップ１１６において売買交渉レコードの終了日時２１Ｉが未定義とされて引き続いて販売状態下に自動的におかれるようになっており、また、購入者が交渉区分８１（図１１）において価格指定複販売者購入交渉８４又は価格未指定複販売者購入交渉８６を選択し、売買交渉処理の終了で購入商品が残った場合に、図１５のステップ１１６において売買交渉レコードの終了日時２１Ｉが未定義とされて引き続いて購入状態下に自動的におかれるようになっている。
【００６５】
これに対して、本発明の第２実施例では、販売者が交渉区分６９において価格指定複購入者販売交渉７２又は価格未指定複購入者販売交渉７４を選択し、売買交渉処理の終了で販売商品が残った場合に、この残り商品を引き続き販売状態下におくか、即ち有効とするか、又は、商品が残っても交渉を終了にするか、即ち無効とするかを、販売者が選択できるようにすることにある。また、同様に、購入者が交渉区分８１において価格指定複販売者購入交渉８４又は価格未指定複販売者購入交渉８６を選択し、売買交渉処理の終了で購入商品が残った場合に、この残り商品を引き続き購入状態下におくか、即ち有効とするか、又は、商品が残っても交渉を終了にするか、即ち無効とするかを、購入者が選択できるようにすることにある。
【００６６】
図１７及び図１８は本発明の第２実施例を示す図で、図１７はサーバマシンから販売者端末に与えられる販売交渉画面であり、図１８はサーバマシンから購入者端末に与えられる購入交渉画面である。図１０及び図１１と同一符号の部分は図１０及び図１１で説明した通りである。
【００６７】
図１７の販売交渉画面６５において、交渉区分６９の価格指定複購入者販売交渉７２及び価格未指定複購入者販売交渉７４に、残りの商品の有効又は無効を選択できる選択手段であるラジオボタン１２０及び１２１が夫々設けられている。また、図１８の購入交渉画面７７において、交渉区分８１の価格指定複販売者購入交渉８４及び価格未指定複販売者購入交渉８６に、残りの商品の有効又は無効を選択できる選択手段であるラジオボタン１３０及び１３１が夫々設けられている。販売者又は購入者である売買者によって、これらのラジオボタン１２０，１２１，１３０，１３１により有効又は無効が選択された後、交渉要求ボタン７１又は８３が押されると、前述した各種情報に加えて有効又は無効の情報を含む売買交渉要求がサーバマシン１に送信される。サーバマシン１では、図１５のステップ１１６における図３の（Ｂ）の売買交渉レコードの作成において、売買者によって有効が選択されている場合には、前述したように、売買交渉レコードの終了日時２１Ｉに、当該売買交渉要求の交渉個数残が０でなければ未定義（ＮＵＬＬ）即ち何も入れられず、交渉個数残が０であれば現在の日時が入れられる。一方、売買者によって無効が選択されている場合には、当該売買交渉要求の交渉個数残が０か否かに拘わらず、売買交渉レコードの終了日時２１Ｉに現在の日時が入れられ、引き続いての売買交渉が行われないように処理されることとなる。その他は、先の第１実施例で述べた通りである。
【００６８】
以上述べた各実施例は、動産／不動産の有形商品に拘わらず、通信網を介して売買されるソフトウエア、人材の募集、仕事の依頼などの無形商品にも適用できる。例えば、「Ｃ言語ができるプログラマを募集したい」という無形商品の場合、「Ｃ言語ができるプログラマ」という人材が販売者となり、このような人材を募集している例えば企業が購入者となる。販売者は購入者から金銭を受取り購入者に商品を渡し、購入者は販売者に金銭を渡し販売者から商品を受取るのであるから、「Ｃ言語ができるプログラマ」という人材は自分の能力・技術を企業に売って企業から金銭を受取り、企業はこの人材に金銭を渡してこの人材から能力・技術を買うことになるためである。
【００６９】
以上述べた各実施例では、価格を指定して商品の一括販売又は購入が行われるように構成されているが、商品の価格を指定することなく一括販売又は購入が行われるように構成することもできる。また、以上述べた各実施例では、管理者によって商品の登録が行われるようになっているが、これと共に又はこれに代えて売買者によって商品登録が行われるように構成してもよい。また、以上述べた各実施例では、交渉区分６９、８１として価格指定複購入者販売交渉７２、価格指定単購入者販売交渉７３、価格未指定複購入者販売交渉７４、並びに、価格指定複販売者購入交渉８４、価格指定単販売者購入交渉８５、価格未指定複販売者購入交渉８６が設けられているが、これに限定されるものではなく、これに加えて又はこれに代えて、新たな交渉区分を設けるようにしてもよい。
【００７０】
本発明は、上記記載に限定されるものではなく、特許請求の範囲に記載され、又は明細書に開示された発明の要旨に基づき、当業者において様々な変形や変更が可能であることは勿論であり、斯かる変形や変更が本発明の範囲に含まれることは言うまでもない。
【産業上の利用可能性】
【００７１】
本発明は、インターネットを介した商品売買に限らず、イントラネット等のその他の通信網を介した商品売買に有効に適用することができる。
【図面の簡単な説明】
【００７２】
【図１】図１は本発明の第１実施例に係る商品売買システムの全体構成を示す図である。
【図２】図２は図１におけるサーバマシンの一構成例を示すブロック図である。
【図３】図３は図２のデータベースに格納される売買者レコード、売買交渉レコード、交渉成立レコード及び商品レコードの一例を示す図である。
【図４】図４は図２のサーバマシンによって行われる処理動作の流れを示す図である。
【図５】図５は図２のサーバマシンによって行われる処理動作の流れを示す図である。
【図６】図６はサーバマシンから管理者端末に与えられる商品登録画面の一例を示す図である。
【図７】図７はサーバマシンから管理者端末に与えられる売買者登録画面の一例を示す図である。
【図８】図８はサーバマシンから売買者端末に与えられる商品情報画面の一例を示す図である。
【図９】図９はサーバマシンから売買者端末に与えられる認証画面の一例を示す図である。
【図１０】図１０はサーバマシンから販売者端末に与えられる販売交渉画面の一例を示す図である。
【図１１】図１１はサーバマシンから購入者端末に与えられる購入交渉画面の一例を示す図である。
【図１２】図１２はサーバマシンから販売者端末に与えられる販売交渉状況画面の一例を示す図である。
【図１３】図１３はサーバマシンから販売者端末に与えられる購入交渉状況画面の一例を示す図である。
【図１４】図１４図５の売買交渉処理を示すフローチャートである。
【図１５】図１５図５の売買交渉処理を示すフローチャートである。
【図１６】図１６図５の売買交渉処理を示すフローチャートである。
【図１７】図１７は本発明の第２実施例を示す図である。
【図１８】図１８は本発明の第２実施例を示す図である。
【符号の説明】
【００７３】
１  サーバマシン
２，３，４  通信端末（売買者端末、管理者端末）
５  通信網
６  インターフェース
７  制御部
８  データベース
１０  売買交渉処理部
１１  売買交渉結果情報処理部
１２  売買者情報処理部
１３  商品情報処理部
１４  売買者情報テーブル
１５  売買交渉情報テーブル（所定のテーブル）
１６  売買交渉成立情報テーブル
１７  商品情報テーブル
５２  商品情報画面
６５  販売交渉画面
６９  交渉区分
７２  価格指定複購入者販売交渉
７３  価格指定単購入者販売交渉
７４  価格未指定複購入者販売交渉
７７  購入交渉画面
８１  交渉区分
８４  価格指定複販売入者購入交渉
８５  価格指定単販売者購入交渉
８６  価格未指定複販売者購入交渉
【図１】
2006146399.tif 000003
【図２】
2006146399.tif 000004
【図３】
2006146399.tif 000005
【図４】
2006146399.tif 000006
【図５】
2006146399.tif 000007
【図６】
2006146399.tif 000008
【図７】
2006146399.tif 000009
【図８】
2006146399.tif 000010
【図９】
2006146399.tif 000011
【図１０】
2006146399.tif 000012
【図１１】
2006146399.tif 000013
【図１２】
2006146399.tif 000014
【図１３】
2006146399.tif 000015
【図１４】
2006146399.tif 000016
【図１５】
2006146399.tif 000017
【図１６】
2006146399.tif 000018
【図１７】
2006146399.tif 000019
【図１８】
2006146399.tif 000020